【事件の表示】
　特願２００４−２４３９３２「断層像撮影装置」拒絶査定不服審判事件〔平成１８年　３月　９日出願公開、特開２００６−　６１１９４〕について、次のとおり審決する。
【結　論】
　本件審判の請求は、成り立たない。
【理　由】
第１　手続の経緯 
　本願は、平成１６年８月２４日を出願日とする出願であって、平成２３年４月２５日付けで拒絶査定がなされ、これに対し、同年９月９日に拒絶査定不服審判の請求がなされるとともに、同日付けにて手続補正（以下、「本件補正」という。）がなされたものである。
　さらに、平成２４年１月１８日付けで審尋がなされ、回答書が同年４月２３日付けで請求人より提出されたものである。
　
第２　本件補正についての補正の却下の決定　 
［補正の却下の決定の結論］　 
　本件補正を却下する。　 
　　 
［理由］　 
１　補正後の本願発明　 
　本件補正により、補正前の特許請求の範囲の請求項１は、
「【請求項１】　被検体を入れる空洞部を有するガントリと、
　被検体を乗せるクレードルと、
　前記クレードルを上下方向に移動させるための上下移動手段と、
　前記クレードルを水平方向に移動させるための水平移動手段と、
　操作者が操作するセットスイッチと、
　前記クレードルが前記空洞部より離れた低い位置にある状態で前記セットスイッチがオンされたときに前記上下移動手段を動作させて前記クレードルを前記空洞部の高さまで上げながら前記水平移動手段を動作させて前記クレードルを前記空洞部に接近させるように制御するセット動作制御手段とを具備したことを特徴とする断層像撮影装置。」
から
「【請求項１】　被検体を入れる空洞部を有するガントリと、
　
前記
　
前記クレードルを支持するテーブルと、
テーブル
　
前記テーブルに対して
　操作者が操作するセットスイッチと、
　前記クレードルが前記空洞部より離れた低い位置にある状態で前記セットスイッチがオンされたときに前記上下移動手段を動作させて前記クレードルを前記空洞部の高さまで上げながら前記水平移動手段を動作させて前記クレードルを前記空洞部に接近させるように制御するセット動作制御手段とを具備したことを特徴とする断層像撮影装置。」
と補正された。（下線は補正箇所を示す。）　 
　
　本件補正は、請求項１に係る発明を特定するために必要な事項である「前記クレードルを上下方向に移動させるための上下移動手段」を「
前記クレードルを支持するテーブルと、
テーブル
前記テーブルに対して
テーブルに対しての
　したがって、本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで、本件補正後の前記請求項１に係る発明（以下「補正発明」という。）が、特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願出願前に頒布され、原査定の拒絶の理由に引用された刊行物である特開２００２−１５９４８５号公報（以下「刊行物１」という。）には、「医用診断装置の寝台制御装置」について、図面とともに次の事項が記載されている。 
（１−ア）　「【特許請求の範囲】・・・
【請求項２】  被検者を天板に載置し、この天板を寝台で支持して前記天板及び寝台を移動させて前記被検者を撮影系の撮影領域に位置合わせする制御手段を備えた医用診断装置の寝台制御装置において、前記制御手段は、前記被検者の撮影部位を指定しこれを入力する撮影部位指定入力手段と、前記天板の位置を検出する天板位置検出手段と、前記寝台の位置を検出する寝台位置検出手段と、標準体格の被検者の身長及び撮影部位間の距離を予め記憶しておく標準体格情報記憶手段とを有し、前記天板位置検出手段及び寝台位置検出手段で検出した天板及び寝台の現在位置と前記標準体格情報記憶手段に記憶してある被検者の身長及び撮影部位間の距離情報とから前記天板及び寝台を前記撮影部位指定入力手段で指定した撮影部位から前記撮影系の撮影領域まで移動させる距離を算出しこの算出した移動距離を入力して前記天板及び寝台を前記撮影系の撮影領域に位置合わせすることを特徴とする医用診断装置の寝台制御装置。」
　
（１−イ）　「【０００１】
【発明の属する技術分野】本発明は医用診断装置の寝台制御装置に係り、特に被検者の撮影部位を撮影系の撮影領域内に簡単に位置合わせできる制御機構を備えた医用診断装置の寝台制御装置に関する。
【０００２】
【従来の技術】被検者の撮影部位は、頭部、胸部、腹部等のいろいろな部位があり、これらの部位を撮影系の撮影領域内に入るように位置合わせする必要がある。
【０００３】この位置合わせの従来技術について、Ｘ線ＣＴ装置を例にあげて説明する。従来のＸ線ＣＴ装置において、操作者は計測開始前に、被検者の撮影部位がＸ線ＣＴ装置の撮影系（スキャナ回転部に搭載され被検者にＸ線を照射するＸ線管と、被検者を挟んで前記回転部に搭載され該Ｘ線管に対向する位置に配置されたＸ線検出器から成る）の撮影領域内に入るように、被検者を載せた天板を被検者の体軸方向上（以下、この方向を上下方向と呼称する）、及び天板を載せた寝台を昇降方向（被検者の垂直方向）に動かして位置合わせしていた。
【０００４】この位置合わせは、先ず寝台上の天板に被検者を載せ、前記寝台の昇降スイッチをオン、オフして、該寝台の昇降モータを駆動して被検者の高さを撮影系の撮影中心の高さになるように位置合わせする。次に、前記天板を上下方向に移動させるためのスイッチをオン、オフして該天板を上下方向に移動させる上下方向移動用モータを駆動して、被検者の撮影対象部位が前記撮影系の撮影中心に合うように位置合わせする。この場合、被検者の撮影対象部位から前記撮影系の撮影中心までの距離が長い場合は、天板の移動時間を短縮するために高速移動スイッチをオンして略撮影系の撮影中心まで高速に移動させておいて、低速スイッチをオンして低速で移動させて撮影位置に位置合わせする。このように、従来は、寝台の昇降スイッチ及び天板の上下移動スイッチを手動により操作し、該寝台の昇降モータ及び天板の上下移動モータを駆動して、被検者の撮影対象部位を撮影系の撮影中心の位置に合わせていた。
【０００５】
【発明が解決しようとしている課題】天板の位置は、被検者の撮影部位、つまり頭部、胸部、腹部等によってほぼ決まっており、上記従来のように撮影部位に応じて複数のスイッチ（寝台の昇降スイッチ、天板の上下移動スイッチ、天板の高速移動スイッチ）を手動により駆使して被検者の撮影対象部位を撮影系の撮影中心に位置合わせすることは、操作者にとって煩わしいものである。本発明は、このような事情に鑑みてなされたもので、操作者にとって煩わしくなく、被検者の撮影部位を撮影系の撮影領域内に短時間で簡単に位置合わせできる制御機構を備えた医用診断装置の寝台制御装置を提供することを目的とする。」
　
（１−ウ）　「【００１１】
【発明の実施の形態】本発明は、撮影部位を撮影系の撮影領域内に自動的に位置合わせできるようにしたものである。以下、Ｘ線ＣＴ装置に本発明を適用する例について説明する。
【００１２】図１は、スキャナ２と、被検者５を寝載する天板３と、この天板３を支持する寝台４との配置関係を示す図である。スキャナ２は、被検者５を撮影系の撮影領域内にいれるための開口部２ａを有する回転部（図示省略）と、この回転部に、前記被検者にＸ線を照射するＸ線管と該被検者を挟んで前記Ｘ線管に対向する位置に配置したＸ線検出器等とで撮影系を構成して成る。
【００１３】被検者５は天板３に載置され、この天板３は寝台４で支持される。前記寝台４は被検者５を載せた天板３を上昇、下降する図示省略の昇降機構を有し、天板３は被検者５を上下方向（被検者の体軸方向）に移動する図示省略の上下移動機構を有している。
【００１４】そして、天板３に載置された被検者５は、前記の昇降機構及び上下移動機構を用いて目的の撮影部位に位置合わせされて（被検者５は前記開口部２ａ内の撮影系の中心の位置に配置される）、前記回転部が被検者の周囲を回転して投影データを計測する。本発明は、寝台の昇降、天板の上下位置を移動制御して被検者５の頭部、胸部、腹部等の撮影部位を前記撮影系の撮影中心に自動的に位置合わせできるようにしたものである。」
　
（１−エ）　「【００１５】（
実施例１）図２は本発明をＸ線ＣＴ装置に適用した第一の実施例の装置構成を示す図で、操作卓１と、スキャナ２と、上部に天板３を載置した寝台４とから成る。操作卓１には、計測条件や撮影部位（頭部、胸部、腹部等）等を入力する入力装置11と、これらの入力された情報等を記憶する記憶装置21等が設けられている。スキャナ2には、ここからでも計測条件や撮影部位（頭部、胸部、腹部等）等が入力でき、かつ撮影部位に応じて自動的に該部位を撮影系の中心に移動させる指令を入力するための撮影部位位置合わせスイッチ22を含む入力装置21
【００１６】（1）被検者５を寝台４の上の天板３に載置する。
【００１７】（2）撮影部位の選択
操作者は操作卓１の入力装置11やスキャナ２の入力装置21を用いて被検者の撮影部位、つまり頭部、胸部、腹部等のどこを撮影するかを選択し入力する。この選択された撮影部位は撮影部位位置合わせスイッチ22の表示器22aに図４のように表示される（この場合は頭部を選択した例）。なお、撮影部位を切り換える場合は前記入力装置11やスキャナ２の入力装置21を用いて撮影部位を変更する指令を入力すれば良い。
【００１８】（3）撮影部位位置合わせスイッチを押し続ける。スキャナ２上に設けられた
撮影部位位置合わせスイッチ22を押し続けると、スキャナ２は寝台用モータと天板用モータを回転させ、これらの回転駆動力を図示省略の昇降駆動機構、上下移動機構により前記寝台及び天板は昇降、上下方向に移動して被検者の撮影部位を撮影系の中心位置である目標位置に到達するように移動制御される
　
（１−オ）「【００２４】（5）寝台、天板モータ駆動
寝台天板を目標位置に移動させて被検者の撮影部位を撮影系の撮影領域の中心に位置合わせする。前記（3）で求めた撮影系の撮影領域の中心Ｑの位置である目標位置まで被検者の撮影部位を移動させる。目標距離である寝台４の高さｈと天板３の移動距離の値ｘと前記寝台の位置検出器42と天板の位置検出器32からの出力信号との差が０になるように前記寝台用モータと天板用モータを駆動制御して、寝台及び天板を目標位置に移動制御して被検者の撮影部位を撮影系の撮影領域の中心に位置合わせする。
【００２５】この動作中に撮影部位位置合わせスイッチ22がオンしていることを確認し、オンしている間は前記動作を続け、オフしている時は部位選択に戻る。そして寝台、天板が移動し、目標位置に達していないときは寝台用モータ、天板用モータ駆動を続行させ、目標位置に達したならば寝台用モータと天板用モータを停止させて、被検者の撮影部位を撮影系の撮影領域の中心に保持し、撮影動作に移る。」
　
（１−カ）「【００２８】【発明の効果】以上に説明したように、本発明によれば、被検者の撮影部位毎に設けた
撮影部位位置合わせスイッチを操作するだけで、該被検者の撮影部位を撮影系の撮影領域内に自動的に短時間で位置合わせできる
　
（１−キ）図４には、「寝台、天板のモータ駆動」と寝台駆動モータと天板駆動モータの駆動が併記されている。
　
　上記（１−ア）〜（１−キ）の記載と図１〜４を参照すると、上記刊行物１には、 次の発明が記載されていると認められる。
「操作卓１と、スキャナ２と、上部に天板３を載置した寝台４を備え、被検者を天板３に載置し、この天板３を寝台４で支持して前記天板３及び寝台４を移動させて前記被検者を撮影系の撮影領域に位置合わせする制御手段を備えたＸ線ＣＴ装置の寝台４制御装置において、前記制御手段は、前記被検者の撮影部位を指定しこれを入力する撮影部位指定入力手段と、前記天板３の位置を検出する天板３位置検出手段と、前記寝台４の位置を検出する寝台４位置検出手段と、標準体格の被検者の身長及び撮影部位間の距離を予め記憶しておく標準体格情報記憶手段とを有し、撮影部位位置合わせスイッチ２２を押し続けると、前記天板３位置検出手段及び寝台４位置検出手段で検出した天板３及び寝台４の現在位置と前記標準体格情報記憶手段に記憶してある被検者の身長及び撮影部位間の距離情報とから前記天板３及び寝台４を前記撮影部位指定入力手段で指定した撮影部位から前記撮影系の撮影領域まで移動させる距離を算出しこの算出した移動距離を入力して昇降駆動機構、上下移動機構により前記天板３及び寝台４を前記撮影系の撮影領域に位置合わせすることを特徴とするＸ線ＣＴ装置の寝台制御装置。」（以下、「引用発明」という。）
　
３　対比・判断 
　補正発明と引用発明とを対比する。
　
ア　引用発明の「スキャナ２」、「天板３」、「寝台４」、「昇降駆動機構」、「上下移動機構」、および「撮影部位位置合わせスイッチ２２」は、それぞれ補正発明の「ガントリ」、「クレードル」、「テーブル」、「上下移動手段」、「水平移動手段」、および「セットスイッチ」に相当することは明らかである。
　
イ　引用発明は「撮影部位位置合わせスイッチ22を押」す時の天板３の位置を特定していないが、スキャナ２の空洞の位置より低い場合にその高さまで上げることは明らかである。
　また、引用発明の「昇降」、「上下移動」が、補正発明の「上下移動」、「水平移動」にそれぞれ相当する。
　そうすると、引用発明の「撮影部位位置合わせスイッチ22を押し続けると、前記天板３位置検出手段及び寝台４位置検出手段で検出した天板３及び寝台４の現在位置と前記標準体格情報記憶手段に記憶してある被検者の身長及び撮影部位間の距離情報とから前記天板３及び寝台４を前記撮影部位指定入力手段で指定した撮影部位から前記撮影系の撮影領域まで移動させる距離を算出しこの算出した移動距離を入力して昇降駆動機構、上下移動機構により前記天板３及び寝台４を前記撮影系の撮影領域に位置合わせする」と補正発明の「前記クレードルが前記空洞部より離れた低い位置にある状態で前記セットスイッチがオンされたときに前記上下移動手段を動作させて前記クレードルを前記空洞部の高さまで上げながら前記水平移動手段を動作させて前記クレードルを前記空洞部に接近させるように制御するセット動作制御手段とを具備し」
とは
「前記クレードルが前記空洞部より離れた低い位置にある状態で前記セットスイッチがオンされたときに前記上下移動手段を動作させて前記クレードルを前記空洞部の高さまで上げ、前記水平移動手段を動作させて前記クレードルを前記空洞部に接近させるように制御するセット動作制御手段とを具備し」の点で共通する。
　
ウ　引用発明の「Ｘ線ＣＴ装置の寝台制御装置」は、Ｘ線ＣＴ装置において、その寝台制御装置に焦点を当てて記載したものであるから、当然にＸ線ＣＴ装置に関する発明である。
　そして、Ｘ線ＣＴ装置は断層像撮影装置であるから、引用発明の「Ｘ線ＣＴ装置」は、本願発明の「断層像撮影装置」に相当する。
　
　そうすると、両者は、　 
（一致点）  
　「被検体を入れる空洞部を有するガントリと、
　前記被検体を乗せるクレードルと、
　前記クレードルを支持するテーブルと、
　前記テーブルを上下方向に移動させるための上下移動手段と、
　前記テーブルに対して前記クレードルを水平方向に移動させるための水平移動手段と、
　操作者が操作するセットスイッチと、
　前記クレードルが前記空洞部より離れた低い位置にある状態で前記セットスイッチがオンされたときに前記上下移動手段を動作させて前記クレードルを前記空洞部の高さまで上げ、前記水平移動手段を動作させて前記クレードルを前記空洞部に接近させるように制御するセット動作制御手段とを具備した断層像撮影装置。」
である点で一致し、以下の点で相違するといえる。　
　
（相違点１）　
　クレードルが前記空洞部より離れた低い位置にある状態で前記セットスイッチがオンされたときのセット動作制御手段の上下移動手段と水平移動手段の制御について、補正発明では、「前記上下移動手段を動作させて前記クレードルを前記空洞部の高さまで上げながら前記水平移動手段を動作させて前記クレードルを前記空洞部に接近させる」のに対して、引用発明では、「上下移動手段を動作させて前記クレードルを前記空洞部の高さまで上げ」、「水平移動手段を動作させて前記クレードルを前記空洞部に移動させ」るが、両動作を同時に行うか明記していない点。
　
（１）相違点１についての検討
　刊行物１の記載事項である上記（１−オ）には、「【００２４】（5）寝台、天板モータ駆動・・・目標距離である寝台４の高さｈと天板３の移動距離の値ｘと前記寝台の位置検出器42と天板の位置検出器32からの出力信号との差が０になるように前記寝台用モータと天板用モータを駆動制御して、寝台及び天板を目標位置に移動制御して被検者の撮影部位を撮影系の撮影領域の中心に位置合わせする。」と寝台４の高さｈと天板３の移動距離の値ｘの制御が同列に記載されており、同じく刊行物１の記載事項である上記（１−イ）には「【０００５】【発明が解決しようとしている課題】・・・操作者にとって煩わしくなく、被検者の撮影部位を撮影系の撮影領域内に短時間で簡単に位置合わせできる制御機構を備えた医用診断装置の寝台制御装置を提供することを目的とする。」と「短時間で」「位置合わせできる」と記載されており、そして、上下移動手段と水平移動手段を同時に駆動する方が別々に駆動するよりも短時間で済むことは明らかである。
　また、例えば、特開昭６３−２０７５３３号公報に「ＸＹ方向それぞれで独立をした駆動系を持つものでは、直交２方向と斜め方向の移動が可能で、２点間のステージ移動を迅速にしかも高い位置精度で行うことができる」（第２頁左上欄１３〜１６行）と記載されているように、直交する２方向それぞれで独立をした駆動系を持つ台の移動において、両駆動系を同時に駆動することは技術常識である。
　そして、「クレードルを前記空洞部に移動させ」ることは、クレードルを前記空洞部に接近させることであることは明らかである。
　してみると、引用発明に上記技術常識を適用して、相違点１に記載の補正発明の構成とすることは、当業者が容易に想到するものといえる。
　
（２）そして、補正発明の作用効果は、引用発明、技術常識から当業者が予測し得る範囲内のものにすぎない。
　
（３）したがって、補正発明は、引用発明、技術常識に基づいて当業者が容易に発明をすることができたものであるというべきであり、特許法第２９条第２項の規定により、特許出願の際独立して特許を受けることができないものである。
　　 
４　まとめ　 
　以上のとおりであるから、本件補正は、平成１８年法改正前の特許法第１７条の２第５項において準用する同法第１２６条第５項の規定に違反するので、同法第１５９条第１項の規定において読み替えて準用する同法第５３条第１項の規定により、却下すべきものである。　
　
第３　本願発明について　 
１　本願発明　 
　本件補正は、上記のとおり却下されることとなるので、本願の請求項１〜１６に係る発明は、平成２２年５月１７日付け手続補正書により補正された明細書の特許請求の範囲の請求項１〜１６に記載された事項により特定されたものであって、その請求項１に係る発明は、次のとおりであると認める。　 
「【請求項１】　被検体を入れる空洞部を有するガントリと、
　被検体を乗せるクレードルと、
　前記クレードルを上下方向に移動させるための上下移動手段と、
　前記クレードルを水平方向に移動させるための水平移動手段と、
　操作者が操作するセットスイッチと、
　前記クレードルが前記空洞部より離れた低い位置にある状態で前記セットスイッチがオンされたときに前記上下移動手段を動作させて前記クレードルを前記空洞部の高さまで上げながら前記水平移動手段を動作させて前記クレードルを前記空洞部に接近させるように制御するセット動作制御手段とを具備したことを特徴とする断層像撮影装置。」（以下、「本願発明」という。）
　
２　引用刊行物およびその記載事項　 
　本願出願前に頒布された刊行物１およびその記載事項は、上記「第２　２」に記載したとおりである。　 
　　 
３　当審の判断　 
　本願発明は、補正発明の「前記クレードルを支持するテーブルと、
　前記テーブルを上下方向に移動させるための上下移動手段」から「前記クレードルを上下方向に移動させるための上下移動手段」と上下移動手段が上下方向に移動させるクレードルの限定を省き、
「前記テーブルに対して前記クレードルを水平方向に移動させるための水平移動手段」から「前記クレードルを水平方向に移動させるための水平移動手段」と水平移動手段が水平方向に移動させるクレードルの限定を省いたものに相当する。
　そうすると、本願発明の構成要件を全て含む補正発明が、上記「第２　３」において検討したとおり、引用発明、技術常識に基づいて、当業者が容易に発明をすることができたものであるから、本願発明も、同様の理由により、引用発明、技術常識に基づいて当業者が容易に発明をすることができたものであるというべきである。
　
第４　まとめ　 
　以上のとおり、本願発明は、特許法第２９条第２項の規定により特許を受けることができないから、その他の請求項について言及するまでもなく、本願出願は拒絶されるべきものである。　 
　よって、結論のとおり審決する。